(57)【要約】【課題】主に、非照明時と照明時とで意匠の変化を大きくすることができると共に、立体感のある照明を行うことなどができるようにする。【解決手段】不透光性のケース３と、ケース３の表面を覆う透光性のカバー部材４との内側に、光源５から入射した光６をカバー部材４側へ反射可能な反射部７，８を有する導光板１１，１２を収容設置した車両用照明装置１に関する。  導光板１１，１２を、上面側に調光層４２，４３を設けた状態で上下に複数枚重ねて設ける。  複数枚の導光板１１，１２の一端側に、光源５を配置する。  下側に位置する導光板１１ほど反射部７，８が光源５から遠くなるように各反射部７，８の位置をズラして設ける。  各調光層４２，４３は、光源５から離れるに従い光透過度が徐々に小さくなる光透過部４２ａ，４３ａを有する。【選択図】図３
2019001239.tif 000002
【特許請求の範囲】
【請求項１】
不透光性のケースと、該ケースの表面を覆う透光性のカバー部材との内側に、光源から入射した光を前記カバー部材側へ反射可能な反射部を有する導光板を収容設置した車両用照明装置において、
前記導光板を、上面側に調光層を設けた状態で上下に複数枚重ねて設けると共に、
複数枚の前記導光板の一端側に、前記光源を配置し、
下側に位置する前記導光板ほど前記反射部が前記光源から遠くなるように前記各反射部の位置をズラして設け、
前記各調光層は、前記光源から離れるに従い光透過度が徐々に小さくなる光透過部を有することを特徴とする車両用照明装置。
【請求項２】
請求項１に記載の車両用照明装置であって、
前記光源を、複数枚の前記導光板で共用する共用光源としたことを特徴とする車両用照明装置。
【請求項３】
請求項１または請求項２に記載の車両用照明装置であって、
前記導光板の前記反射部を光拡散部としたことを特徴とする車両用照明装置。
【請求項４】
請求項１ないし請求項３のいずれか１項に記載の車両用照明装置であって、
少なくとも、最も上側に位置する前記導光板の前記反射部を、導光板の上面側に設けると共に、最も下側に位置する前記導光板の前記反射部を、導光板の下面側に設けたことを特徴とする車両用照明装置。
【請求項５】
請求項１ないし請求項４のいずれか１項に記載の車両用照明装置であって、
複数枚の前記導光板の前記各反射部は、光源から離れるほど反射率が小さくなっていることを特徴とする車両用照明装置。
【請求項６】
請求項１ないし請求項５のいずれか１項に記載の車両用照明装置であって、
前記各調光層の前記光透過部を、直下に位置する前記導光板の反射部の位置に設けたことを特徴とする車両用照明装置。
【請求項７】
不透光性のケースと、該ケースの表面を覆う透光性のカバー部材との内側に、光源から入射した光を前記カバー部材側へ反射可能な反射部を有する導光板を収容設置した車両用照明装置において、
前記導光板を、上面側に調光層を設けた状態で上下に複数枚重ねて設けると共に、
複数枚の前記導光板の一端側に、前記光源を配置し、
下側に位置する前記導光板ほど前記光源から遠くまで延びるように、前記導光板の他端側に、上側に位置する前記導光板に対して張出す張出部を設けて、該張出部に前記反射部を設け、
前記各調光層は、前記光源から離れるに従い光透過度が徐々に小さくなる光透過部を有することを特徴とする車両用照明装置。
【請求項８】
請求項７に記載の車両用照明装置であって、
前記光源を、複数枚の前記導光板で共用する共用光源としたことを特徴とする車両用照明装置。
【請求項９】
請求項７または請求項８に記載の車両用照明装置であって、
前記導光板の前記反射部を光拡散部としたことを特徴とする車両用照明装置。
【請求項１０】
請求項７ないし請求項９のいずれか１項に記載の車両用照明装置であって、
前記導光板の他端部に遮光部を設けたことを特徴とする車両用照明装置。
【請求項１１】
請求項７ないし請求項１０のいずれか１項に記載の車両用照明装置であって、
前記調光層は、直下に位置する前記導光板の前記延長部の開始位置まで延びていることを特徴とする車両用照明装置。
【請求項１２】
請求項８ないし請求項１１のいずれか１項に記載の車両用照明装置であって、
最も下側に位置する前記導光板の他端部を出光部としたことを特徴とする車両用照明装置。
【請求項１３】
請求項７ないし請求項１２のいずれか１項に記載の車両用照明装置であって、
最も下側に位置する前記導光板の他端側に、前記カバー部材側へ向かって光を出光する別の光源を設けたことを特徴とする車両用照明装置。
【請求項１４】
請求項１３に記載の車両用照明装置であって、
前記カバー部材の裏面側における前記別の光源の周辺にハーフミラーを設けると共に、
該ハーフミラーの下側に間隔を有してミラーを設けたことを特徴とする車両用照明装置。
【発明の詳細な説明】
【技術分野】
【０００１】
この発明は、車両用照明装置に関するものである。
【背景技術】
【０００２】
自動車などの車両は、車室内に各種の照明装置（車両用照明装置）を備えている（例えば、特許文献１参照）。
【先行技術文献】
【特許文献】
【０００３】
【特許文献１】特開２００４−９０８９７号公報
【発明の概要】
【発明が解決しようとする課題】
【０００４】
しかしながら、上記特許文献１に記載された車両用照明装置には、非照明時と照明時とで意匠の変化が少なく、また、立体感に乏しいなどの問題があった。
【０００５】
そこで、本発明は、主に、上記した問題点を解決することを目的としている。
【課題を解決するための手段】
【０００６】
上記課題を解決するために、本発明は、
不透光性のケースと、該ケースの表面を覆う透光性のカバー部材との内側に、光源から入射した光を前記カバー部材側へ反射可能な反射部を有する導光板を収容設置した車両用照明装置において、
前記導光板を、上面側に調光層を設けた状態で上下に複数枚重ねて設けると共に、
複数枚の前記導光板の一端側に、前記光源を配置し、
下側に位置する前記導光板ほど前記反射部が前記光源から遠くなるように前記各反射部の位置をズラして設け、
前記各調光層は、前記光源から離れるに従い光透過度が徐々に小さくなる光透過部を有することを特徴とする。
また、本発明は、
不透光性のケースと、該ケースの表面を覆う透光性のカバー部材との内側に、光源から入射した光を前記カバー部材側へ反射可能な反射部を有する導光板を収容設置した車両用照明装置において、
前記導光板を、上面側に調光層を設けた状態で上下に複数枚重ねて設けると共に、
複数枚の前記導光板の一端側に、前記光源を配置し、
下側に位置する前記導光板ほど前記光源から遠くまで延びるように、前記導光板の他端側に、上側に位置する前記各導光板に対して張出すと共に前記反射部を有する張出部を設け、
最も上側に位置する前記導光板の前記調光層に、前記光源から離れるに従い光透過度が徐々に小さくなる光透過部を設けると共に、
下側に位置する前記導光板における前記張出部の前記調光層に、前記光源から離れるに従い光透過度が徐々に小さくなる光透過部を設けたことを特徴とする。
このため、車両用照明装置は、複数枚の導光板を上下に重ね、各導光板に反射部の位置をズラして設け、各導光板に光透過度が徐々に小さくなる光透過部を設けたものとなる。
【発明の効果】
【０００７】
本発明によれば、上記構成によって、非照明時と照明時とで意匠の変化を大きくすることができると共に、立体感のある照明を行うことなどができる。
【図面の簡単な説明】
【０００８】
【図１】本実施の形態にかかる車両用照明装置の斜視図である。
【図２】図１の車両用照明装置から操作用部品を取出（して拡大）した状態を示す概略斜視図である。
【図３】実施例１の車両用照明装置の縦断面図である。
【図４】図３の車両用照明装置の分解図である。
【図５】実施例２にかかる車両用照明装置の、図２のＡ−Ａ線に沿った位置の縦断面図である。
【図６】図５の車両用照明装置を分かり易く描いた縦断面図である。
【図７】図６の部分拡大図である。
【発明を実施するための形態】
【０００９】
以下、本実施の形態を、図面を用いて詳細に説明する。
図１〜図７は、この実施の形態を説明するためのものである。
【実施例１】
【００１０】
＜構成＞以下、この実施例の構成について説明する。
【００１１】
自動車などの車両の車室内に、例えば、図１に示すような照明装置（車両用照明装置１）を設置する。この車両用照明装置１は、スイッチなどの操作用部品２を備えることができる。このような車両用照明装置１を、図２に示すように、不透光性のケース３と、ケース３の表面を覆う透光性のカバー部材４とを備えたものとする。
そして、ケース３とカバー部材４とで構成する容器の内側に、図３に示すように、光源５から入射した光６をカバー部材４側へ向けて反射可能な反射部７，８を有する導光板１１，１２を収容設置する。
【００１２】
ここで、車両用照明装置１は、例えば、センターコンソール１３（図１参照）やインストルメントパネルなどに取付けることができる。操作用部品２は、図では縦長の筒状のものとなっているが、これに限るものではない。この場合、操作用部品２は、上端部に押ボタンスイッチや回転式スイッチなどを有している。なお、操作用部品２については、特に設けなくても良いし、或いは、車両用照明装置１の内外に、単数または複数設けることができる。図３は、操作用部品２を設けていない車両用照明装置１の例となっている。
【００１３】
ケース３は、例えば、ＡＢＳなどの樹脂製とすることができる。ケース３は、不透光性を有していれば何色としても良いが、例えば、ケース３は、内部における光６の反射率を上げるために白色などとしても良い。または、ケース３は、内部における光６の反射率を下げるために黒色や暗色などとしても良い。
【００１４】
ケース３は、平坦な底面部３ａと、この底面部３ａの周縁部から図中上方へ延びる側面部３ｂとを有する浅皿状の容器としている。ケース３の平面形状は、矩形状でも円形状でもその他の形状でも何でも良いが、この場合には、矩形状としている。底面部３ａと側面部３ｂとは、基本的に均一肉厚にしている。
【００１５】
カバー部材４は、例えば、アクリルなどの樹脂製とすることができる。カバー部材４は、無色透明や有色透明のものなどとすることができる。カバー部材４は、平坦な意匠面部４ａ（上面部）と、この意匠面部４ａの周縁部から図中下方へ延びる側面部４ｂとを有する蓋部としている。カバー部材４の平面形状は、ケース３の平面形状と同じにする。意匠面部４ａと側面部４ｂとは、基本的に均一肉厚にしている。
【００１６】
反射部７，８は、カバー部材４の意匠面部４ａへ向けて光６を反射する。カバー部材４の意匠面部４ａには、必要に応じて、スモークフィルム４ｃやハーフミラーフィルム４ｄなどのフィルムを貼着することができる。この場合、意匠面部４ａの上面に対して、意匠面部４ａを暗色に着色するためのスモークフィルム４ｃを貼着している。また、意匠面部４ａの下面に光の反射を利用するためのハーフミラーフィルム４ｄを貼着している。但し、スモークフィルム４ｃやハーフミラーフィルム４ｄは、必ずしも必要なものではない。
【００１７】
カバー部材４の側面部４ｂは、その内面がケース３の側面部３ｂに外嵌可能な大きさおよび形状を有している。
【００１８】
光源５には、ＬＥＤなどを用いることができる。光源５は、例えば、透明な樹脂製の棒状体の端部にＬＥＤを配設した発光棒などとすることができる。この発光棒は、例えば、ケース３の内部に、ケース３の辺に沿って設置することができる。図２では、光源５をケース３の対向する二辺に設置しているが、図３のように光源５はケース３の一辺にのみ設置するようにしても良い。
【００１９】
導光板１１，１２は、光源５からの光６を内部へ導くようにした透明部材である。導光板１１，１２は、例えば、アクリルなどの樹脂製とすることができる。図３の場合、導光板１１，１２は、光源５と対向する端部が入光部になる。導光板１１，１２は、ケース３の底面部３ａと平行に設置されている。
【００２０】
反射部７，８は、導光板１１，１２の内部に導かれた光源５からの光６を導光板１１，１２からカバー部材４の意匠面部４ａを通して外部へ出光するためのものであり、反射部７，８を設けた位置が出光部となる。
【００２１】
以上のような基本的な構成に対し、この実施例では、以下のような構成を備えるようにしている。
【００２２】
（１）導光板１１，１２を、上面側に調光層４２，４３を設けた状態で上下に複数枚重ねて設ける。
複数枚の導光板１１，１２の一端側に、光源５を配置する。
そして、下側に位置する導光板１１，１２ほど反射部７，８が光源５から遠くなるように各反射部７，８の位置をズラして設ける。
図４に示すように、各調光層４２，４３は、光源５から離れるに従い光透過度が徐々に小さくなる光透過部４２ａ，４３ａを有している。
【００２３】
ここで、調光層４２，４３は、調光フィルムとすることができる。
【００２４】
光透過部４２ａ，４３ａは、濃度が変化するグラデーション部とすることができる。光透過部４２ａ，４３ａは、調光層４２，４３（調光フィルム）に対して印刷によって形成することができる（グラデーション印刷フィルム）。
【００２５】
そして、各光透過部４２ａ，４３ａのグラデーションは、それぞれ光源５から近い位置の光透過度が大きくなり、光源５から遠い位置の光透過度が小さくなるものになっている。
【００２６】
また、光透過部４２ａ，４３ａのグラデーションは、それぞれ同じものにしても良いが、異なるものにしても良い。
【００２７】
光透過部４２ａ，４３ａのグラデーションを異なるものにする場合、下側の導光板１１の反射部７が光源５から遠くに位置し、上側の導光板１２の反射部８が光源５から近くに位置しているため、光源５から遠い反射部７に対する光透過部４２ａを、光源５から近い反射部８に対する光透過部４３ａよりも、全体としての光透過度が小さくなるようにするのが好ましい。
【００２８】
（２）光源５は、複数枚の導光板１１，１２で共用する共用光源５ａとしても良い。
【００２９】
ここで、光源５は、導光板１１，１２ごとに、個別に設けても良い。光源５を個別に設けることで、導光板１１，１２ごとに個別に明るさを調整することができるようになる。しかし、この実施例では、光源５を共用光源５ａとして数を減らすようにしている。そして、明るさの個別の調整については、反射部７，８や光透過部４２ａ，４３ａで行うようにしている。
【００３０】
（３）導光板１１，１２の反射部７，８を光拡散部７ａ，８ａとしても良い。
【００３１】
ここで、光拡散部７ａ，８ａは、光を拡散するためのものである。光拡散部７ａ，８ａは、光を拡散状態で反射できるようにするために、例えば、細かい凹凸部などとすることができる。凹凸部は、規則的なパターンのものや、不規則なパターンのものなどとすることができる。光拡散部７ａ，８ａは、全体的に均一に設けても良いし、または、不均一に設けても良い。光拡散部７ａ，８ａは、例えば、サンドブラストやショットブラストなどの表面加工によって作ることができる。
【００３２】
（４）少なくとも、最も上側に位置する導光板１２の反射部８を、導光板１２の上面側に設けるようにしても良い。また、最も下側に位置する導光板１１の反射部７を、導光板１１の下面側に設けるようにしても良い。
【００３３】
ここで、導光板１１，１２が３枚以上ある場合には、中間の導光板１１，１２の反射部７，８については、上面側に設けるようにしても、下面側に設けるようにしても良い。
【００３４】
（５）複数枚の導光板１１，１２の各反射部７，８は、光源５から離れるほど反射率が小さくなるようにしても良い。
【００３５】
ここで、反射率を変化させるためには、各反射部７，８において、凹凸部を光源５に近い側と光源５から離れた側とで異ならせるようにする。凹凸部は、凹凸の数や凹凸の形状（深さや角度）などによって調整することができる。例えば、凹凸の数が多いほど反射率は大きくなり、凹凸の数が少ないほど反射率は小さくなる。また、凹凸の深さが深いほど反射率は大きくなり、凹凸の深さが浅いほど反射率は小さくなる。
【００３６】
各反射部７，８は、それぞれ同じにしても良いが、異なるようにしても良い。
【００３７】
各反射部７，８を異なるものにする場合、下側の導光板１１の反射部７は光源５から遠くに位置しており、上側の導光板１２の反射部８は光源５から近くに位置しているため、光源５から遠い光拡散部７ａを、光源５から近い光拡散部８ａよりも、全体としての光透過度が小さくなるようにするのが好ましい。
【００３８】
（６）各調光層４２，４３の光透過部４２ａ，４３ａを、直下に位置する導光板１１，１２の反射部７，８の位置に設けるようにしても良い。
【００３９】
ここで、直下に位置する導光板１１，１２とは、調光層４２に対する導光板１１、および、調光層４３に対する導光板１２とのことである。
【００４０】
光透過部４２ａ，４３ａは、各導光板１１，１２の全域に対して設けることができるが、各導光板１１，１２の反射部７，８の位置にのみ設けるのが好ましい。反射部７，８以外の部分については、透明部４２ｂ，４３ｂ（全透過部）などを設けることができる。また、調光層４２，４３における、光源５からの光６が直接カバー部材４を透過して見えないようにしたい部分については、不透光部４２ｃ，４３ｃを設けることができる。不透光部４２ｃ，４３ｃは、黒色などの印刷部や塗装部などとすることができる。
【００４１】
＜作用＞以下、この実施例の作用について説明する。
【００４２】
車両用照明装置１は、ケース３に光源５と導光板１１，１２とを収容して、カバー部材４を取付けることで組み立てられる。或いは更に、カバー部材４の側から筒状部２５に操作用部品２を挿入することで組み立てられる。
【００４３】
照明を行わない時は、車両用照明装置１はスモークフィルム４ｃによって暗色のものとなる。操作用部品２は、暗色のカバー部材４から突出したものとなる。
【００４４】
そして、図３に示すように、光源５を点灯すると、光源５からの光６は導光板１１，１２の内部へ導かれ、導光板１１，１２内で反射部７，８によってカバー部材４側へ反射されて、カバー部材４から出光される。これにより、カバー部材４を反射部７，８の形状などに応じて光らせることができる。そのため、操作用部品２は、照明によってカバー部材４が多彩に装飾されたものとなる。
【００４５】
＜効果＞この実施例によれば、以下のような効果を得ることができる。
【００４６】
（効果１）導光板１１，１２を反射部７，８の位置をズラして上下に重ねて複数枚設けることで、照明に導光板１１，１２の重なりによる奥行感や、光源５から反射部７，８までの距離感を出すことができ、全体として立体感のある照明を行うことができる。
【００４７】
この際、下側に位置する導光板１１，１２ほど反射部７，８を光源５から遠くにすることで、照明に自然な奥行感と距離感とを出すことができる。よって、例えば、光源５から離れるに従い階段状に深くなって行く照明を演出することができる。
【００４８】
そして、各調光層４２，４３の光透過部４２ａ，４３ａを光源５から離れるに従い光透過度が徐々に小さくなるようにすることで、明度が高いと近くに見え、明度が低いと遠くに見えるという消失遠近法による視覚効果を利用して、上記した奥行感などを強調することができる。
【００４９】
以上により、非照明時と照明時とで意匠の変化を大きくすることができると共に、立体感が大きく感じられる照明を行うことができる。
【００５０】
（効果２）複数枚の導光板１１，１２の一端側に共用光源５ａを配置しても良い。これにより、遠近法を利用した立体的な照明における光６の位置を明確に定めて、遠近法をより自然なものにすることができる。また、光源５を共用光源５ａとすることで使用する光源５の数を減らすことができる。
【００５１】
（効果３）導光板１１，１２の反射部７，８を光拡散部７ａ，８ａとしても良い。これにより、ソフトな反射光を得ることができ、光透過度が徐々に小さくなる光透過部４２ａ，４３ａによるグラデーションが滑らかに変化する自然な感じの照明を行うことができる。
【００５２】
（効果４）最も上側に位置する導光板１２の反射部８を導光板１２の上面側に設けると共に、最も下側に位置する導光板１１の反射部７を導光板１１の下面側に設けるようにしても良い。これにより、最も上下に位置する反射部７，８が最大限上下に離れることになるので、立体感や奥行感を最も大きくすることができる。
【００５３】
（効果５）複数枚の導光板１１，１２の各反射部７，８を、光源５から離れるほど反射率が小さくなるようにするようにしても良い。これにより、各反射部７，８内での反射率の変化を利用して、照明の奥行感と光源５からの距離感とを強調することができる。
【００５４】
（効果６）各調光層４２，４３の光透過部４２ａ，４３ａを、直下に位置する導光板１１，１２の反射部７，８の位置に（のみ）設けるようにしても良い。これにより、光透過部４２ａ，４３ａを必要な位置に必要な大きさで効率良く設けることができる。
【００５５】
この際、各調光層４２，４３の光透過部４２ａ，４３ａ以外の部分に全透過部を設けることで、他の導光板１１，１２の反射部７，８による反射光を妨げないようにすることが可能になる。
【００５６】
また、調光層４２，４３の必要部分に不透光部４２ｃ，４３ｃを設けることで、不透光部４２ｃ，４３ｃを設けた部分を、光源５からの光６が直接カバー部材４を透過して見えないようにすることができる。
【実施例２】
【００５７】
図５〜図７は、実施例２およびその変形例である。
車両用照明装置１が、不透光性のケース３と、ケース３の表面を覆う透光性のカバー部材４との内側に、光源５から入射した光６をカバー部材４側へ反射可能な反射部７，８を有する導光板１１，１２を収容設置したものである点については、上記した実施例１と同様である。
そして、実施例１では、導光板１１，１２の光源５とは反対側の端部の位置が揃っていたのに対し、この実施例２では以下の点が異なっている。
【００５８】
＜構成＞以下、この実施例の構成について説明する。
【００５９】
（７）導光板１１，１２を、上面側に調光層４２，４３を設けた状態で上下に複数枚重ねて設ける。
複数枚の導光板１１，１２の一端側に、光源５を配置する。
そして、下側に位置する導光板１１ほど光源５から遠くまで延びるように、導光板１１の他端側に、上側に位置する導光板１２に対して張出す張出部１１ａを設ける。この張出部１１ａに反射部７を設ける。
各調光層４２，４３は、光源５から離れるに従い光透過度が徐々に小さくなる光透過部４２ａ，４３ａを有している。
【００６０】
ここで、導光板１１の他端側は、光源５とは反対側の端部である。但し、操作用部品２が設けられている場合には、操作用部品２を通すために導光板１１，１２に設けた貫通穴２２，２３の縁部を他端側としても良い。そして、下側の貫通穴２２が小さくなり、上側の貫通穴２３が大きくなるように貫通穴２２，２３の大きさを異ならせることで、下側の導光板１１の貫通穴２２と上側の導光板１２の貫通穴２３との間に、下側の導光板１１の張出部１１ａを設けることができる。なお、カバー部材４やケース３に対しても、操作用部品２を通すための貫通穴２１，２４を設けることができる。
【００６１】
下側に位置する導光板１１の反射部７は、張出部１１ａを越えて上側に位置する導光板１２と重なる位置まで延ばしても良い。但し、上側に位置する導光板１２の反射部８と重ならないようにする。
【００６２】
最も上側に位置する導光板１２の調光層４３には、光源５から離れるに従い光透過度が徐々に小さくなる光透過部４３ａを設けるようする。また、下側に位置する導光板１１における張出部１１ａの調光層４２に、光源５から離れるに従い光透過度が徐々に小さくなる光透過部４２ａを設ける。
【００６３】
なお、上記実施例１と同様に、各調光層４２，４３の光透過部４２ａ，４３ａを、直下に位置する導光板１１，１２の反射部７，８の位置に設けるようにしても良い。反射部７，８以外の部分については、透明部４２ｂ，４３ｂ（全透過部）などを設けることができる。また、調光層４２，４３における、光源５からの光６が直接カバー部材４を透過して見えないようにしたい部分については、不透光部４２ｃ，４３ｃを設けることができる。不透光部４２ｃ，４３ｃは、黒色などの印刷部や塗装部などとすることができる。
【００６４】
（８）光源５を、複数枚の導光板１１，１２で共用する共用光源５ａとしても良い。共用光源５ａについては、実施例１と同様である。
【００６５】
（９）導光板１１，１２の反射部７，８を光拡散部７ａ，８ａとしても良い。光拡散部７ａ，８ａについては、実施例１と同様である。
【００６６】
（１０）導光板１１，１２の他端部に遮光部３１を設けても良い。
【００６７】
ここで、遮光部３１は、不透光性を有する黒色などの印刷部や塗装部などとすることができる。遮光部３１は、全ての導光板１１，１２の他端部に対して設けることができる。但し、必要な場合には、特定の導光板１１，１２（例えば導光板１１）の他端部には、後述するように遮光部３１を設けないようにすることもできる。
【００６８】
（１１）調光層４２，４３（例えば調光層４３）は、直下に位置する導光板１１，１２（例えば導光板１１）の延長部１１ａの開始位置まで延びるようにしても良い。
【００６９】
ここで、直下に位置する導光板１１の延長部１１ａの開始位置まで延びるとは、上側の導光板１２の調光層４３を、他端部まで延ばす、または、上側の導光板１２の全域に対して設けることである。
【００７０】
なお、上側の導光板１２他端部の位置では、調光層４３に光透過部４３ａを設けたり、透明部４３ｂや不透光部４３ｃ（図４参照）を設けたりすることができる。
【００７１】
（１２）最も下側に位置する導光板１１の他端部を出光部３５としても良い。
【００７２】
ここで、最も下側に位置する導光板１１の他端部を出光部３５にするとは、例えば、図５のように最も下側に位置する導光板１１の他端部（または貫通穴２２）が、ケース３の側面部３ｂや操作用部品２の側面から離れているような場合に、最も下側に位置する導光板１１の他端部に遮光部３１を設けないようにすることである。
【００７３】
（１３）最も下側に位置する導光板１１の他端側に、カバー部材４側へ向かって光５２を出光する別の光源５１を設けても良い。
【００７４】
ここで、別の光源５１は、例えば、操作用部品２の外周部に筒状の導光板５３を設けてこの導光板５３の下端側に設置しても良い。なお、別の光源５１と導光板５３とをケース５４に収容した状態で一体化して発光装置５５を作り、この発光装置５５をケース３の貫通穴２４に下側から一度に設置すると共に、取付部材５６などで取付けられるようにしても良い。
【００７５】
また、図５、図６に示すように、最も下側に位置する導光板１１の他端部を出光部３５にして、出光部３５を導光板５３に当接することで、出光部３５から出た光を導光板５３の光源にしても良い。
【００７６】
（１４）図７に示すように、カバー部材４の裏面側における別の光源５１の周辺にハーフミラーを設けると共に、
ハーフミラーの下側に間隔を有してミラー５７を設けても良い。
【００７７】
ここで、ハーフミラーは、カバー部材４の貫通穴２１の周囲にのみ設けても良いが、カバー部材４の図中下面全面に貼着したハーフミラーフィルム４ｄなどとしても良い。ハーフミラーは、塗装や表面処理などによって構成することもできる。
【００７８】
ミラー５７は、ハーフミラーフィルム４ｄやカバー部材４と平行に設置する。ミラー５７は、少なくとも貫通穴２１の周囲に設ける。ミラー５７は、ケース３の底面の上側の面や最も下側の導光板１１（の張出部１１ａ）の上面などに設けることができる。ミラー５７は、粘着性を有するミラーフィルムや塗装や表面処理などによって構成することができる。
【００７９】
この場合、ハーフミラーとミラー５７は、カバー部材４と平行な面を有する合わせ鏡となる。そして、合わせ鏡の間に、導光板５３の出光部５８を配置することで、出光部５８の像５９が合わせ鏡の合わせ方向へ無限に続く無限ミラー照明として見えるようになる。
【００８０】
＜作用効果＞この実施例によれば、以下のような作用効果を得ることができる。
【００８１】
（作用効果７）導光板１１，１２を、張出部１１ａを設けながら上下に重ねて複数枚設けることで、照明に張出部１１ａの段差による奥行感や、光源から反射部７，８までの距離間を出すことができ、全体として立体感のある照明を行うことができる。
【００８２】
この際、下側に位置する導光板１１ほど光源５から遠くまで延びるように、導光板１１の他端側に上側に位置する導光板１２に対して張出す張出部１１ａを設けることで、照明に自然な奥行感と距離感とを出すことができる。よって、例えば、光源５から離れるに従い階段状に深くなって行く照明を演出することができる。
【００８３】
そして、各調光層４２，４３の光透過部４２ａ，４３ａを光源５から離れるに従い光透過度が徐々に小さくなるようにすることで、明度が高いと近くに見え、明度が低いと遠くに見えるという消失遠近法による視覚効果を利用して、上記した奥行感を強調することができる。
【００８４】
以上により、非照明時と照明時とで意匠の変化を大きくすることができると共に、立体感が大きく感じられる照明を行うことができる。
【００８５】
（作用効果８）複数枚の導光板１１，１２の一端側に共用光源５ａを配置するようにしても良い。これにより、遠近法を利用した立体的な照明における光６の位置を明確に定めて、遠近法をより自然なものにすることができる。また、光源５を共用光源５ａとすることで使用する光源５の数を減らすことができる。
【００８６】
（作用効果９）導光板１１，１２の反射部７，８を光拡散部７ａ，８ａとしても良い。これにより、ソフトな反射光を得ることができ、光透過度が徐々に小さくなる光透過部４２ａ，４３ａによるグラデーションが滑らかに変化する自然な感じの照明を行うことができる。
【００８７】
（作用効果１０）導光板１１，１２の他端部に遮光部３１を設けるようにしても良い。これにより、導光板１１，１２の他端部からの光漏れをなくすことができる。そのため、上下の導光板１１，１２による照明を明瞭に分けることができ、その分、奥行感や段差感を向上することができる。
【００８８】
（作用効果１１）調光層４３が、直下に位置する導光板１１の延長部１１ａの開始位置まで延びるようにしても良い。これにより、上側の導光板１２の他端部の位置まで確実に調光を行うことができるようになる。また、上側の導光板１２の他端部の位置で調光層４３を、その下側に位置する導光板１１の調光層４２と繋げて連続しているように見せることなども可能になる。
【００８９】
（作用効果１２）最も下側に位置する導光板１１の他端部（のみ）を出光部３５としても良い。これにより、最も下側に位置する導光板１１の他端部から出た光６によって、最も下側の導光板１１の外側に新たな照明を作り出すことができる。よって、導光板１１，１２を増やさずに導光板１１，１２を１枚増やしたのと同様の照明効果を得ることができ、その分、深さ感をより向上することができる。
【００９０】
更に、最も下側に位置する導光板１１の他端部から出た光６がケース３の立壁（側面部３ｂ）や操作用部品２の側面などに当たることによって更に別の立体的な照明を作り出すこともできる。
【００９１】
（作用効果１３）最も下側に位置する導光板１１の他端側に、カバー部材４側へ向かって光５２を出光する別の光源５１を設けても良い。これにより、別の光源５１による異なる照明を演出することができると共に、別の光源５１からの光５２が最も下側に位置する導光板１１の周辺を照らすことで、深さ感を出すことができる。
【００９２】
（作用効果１４）ハーフミラー（ハーフミラーフィルム４ｄ）とミラー５７とで合わせ鏡を作り、合わせ鏡の間に位置する出光部５８を別の光源５１からの光５２で光らせるようにしても良い。これにより、別の光源５１の周辺に無限に繰り返される出光部５８の像５９を作り出して無限ミラー照明とすることができる。そして、無限ミラー照明によって無限の奥行き感のある立体的な照明効果を得ることができる。
【００９３】
以上により、非照明時と照明時とで意匠の変化を大きくすることができると共に、立体感のある照明をより強調することができる。
【符号の説明】
【００９４】
１      車両用照明装置
３      ケース
４      カバー部材
４ｄ    ハーフミラー
５      光源
５ａ    共用光源
６      光
７      反射部
７ａ    光拡散部
８      反射部
８ａ    光拡散部
１１    導光板
１１ａ  張出部
１２    導光板
２２    貫通穴
２３    貫通穴
３１    遮光部
３５    出光部
４２    調光層
４２ａ  光透過部
４３    調光層
４３ａ  光透過部
５１    別の光源
５２    光
５７    ミラー
【図１】
2019001239.tif 000003
【図２】
2019001239.tif 000004
【図３】
2019001239.tif 000005
【図４】
2019001239.tif 000006
【図５】
2019001239.tif 000007
【図６】
2019001239.tif 000008
【図７】
2019001239.tif 000009